(57)【要約】【課題】バーバル入力からデータベースおよび構造化情報を生成するための好適なシステムを提供すること。【解決手段】バーバル情報を利用して、タグ（２）またはＸＭＬコードなどの挿入コードを有する構造化データを作成し得るシステムは、容易に採用するためのハンドヘルド機能を提供する。ディクテーション時の視覚ディスプレイ（１３）は、チェックリスト、プロンプトを提供するか、そうでなければ、選択されたデータコンテキストに調和するエントリを形成する。視覚ディスプレイはまたトランスクリプショニストシステム（７）の一部であり得る。コード化方式でデータを提供することによって、警報、バイオテロ警報が迅速かつおそらく自動的に識別され、そしてヘルスケア警報またはまたは位置指向統計分析情報を提供する際などに機能させ得る。中央当局（１１）への中央データベース（１）通報機能はテロリストおよび他の事件管理のために含まれ得る。【選択図】図１
2008123533.tif 000002
【特許請求の範囲】
【請求項１】
構造化医療データを生成する方法であって、
ａ．情報が利用されるデータコンテキストを確立するステップと、
ｂ．該データコンテキストに相関するデータエントリ影響材料を第１の計算デバイスに視覚的に表示するステップと、
ｃ．該データエントリ影響材料によって、少なくともある程度、該データコンテキストに調和するように形成されるバーバル医療情報をユーザが生成するステップと、
ｄ．該バーバル医療情報の少なくとも一部を該バーバル医療情報の少なくとも一部を表すデジタルバーバルデータに該第１の計算デバイス上で変換するステップと、
ｅ．該デジタルバーバルデータを該第１の計算デバイス上に少なくとも一時的に格納するステップと、
ｆ．該デジタルバーバルデータを第２の計算デバイスに転送するステップと、
ｇ．該第２の計算デバイスを使用して該デジタルバーバルデータを構造化データに転換するステップと
を包含する、方法。
【発明の詳細な説明】
【技術分野】
【０００１】
（技術分野）
概して、この発明は、トランスクリプション、その関連情報、他のセキュリティおよびデータ集約情報等のための関するコンピュータベースのシステムに関する。詳細には、本発明は、アプリケーション、方法、ソフトウェア、ハードウェア、サービス、および、医療情報（特定の情報におけるユーザのうちのいくつかに関連し得るメニューデータを有する従来の複写を含むがそれらに制限されない）等の情報をする、または、取り扱う際に重要な様々な機能を提供し得るビジネス方法にも集中し得る。詳細には、本発明は、アプリケーション、方法、ソフトウェア、ハードウェア、サービス、および、情報を取り扱う際に重要な様々な機能を提供し得るビジネス方法（アクセス、調査および他のこのような機能を含むがこれらに制限されない）に集中する。本発明は、情報を取引する際に重要な様々な機能（このような情報のうちのいくつかに関する詳細を有する情報を符号化することを含むがこれらに制限されない）を提供し得る。
【背景技術】
【０００２】
（背景）
バーバルの情報からの環境は、データを捕えるためにより非効率な環境のうちの一つである。バーバルまたはおそらく書き取られた情報は、特異な意味の種々のワードまたはフレーズを用いるので、そして、バーバル情報は、かなり生成者に依存するので、構造化データフォーマットで捕捉することは挑戦的であり得る。一つの例は、医療環境である。この環境は、急性の必要性の環境（例えば、潜在的に致命的な合併症の患者を助けること）構造およびフォーマットは、保険の請求書のものから情報に対する即座の相関の必要性のものへの範囲であり得る環境である。これは、手動でデータを入力する時間を有さない専門家は、このことに妥協している。さらに生物テロの脅威は、生物テロリストの攻撃によって現実となっている。攻撃に用いられる技術は極めて単純であるが、続く恐怖の結果は、遠く、奥深いところまで達する。この攻撃を完全に防ぐことはできないことは、如実に明かである。従って、我々の最大の武器は、重要な情報を素早く集めて共有し、バイオテロリストの攻撃に応答し、素早く、正確かつ広範囲のデータ捕捉に完全に依存して素早く処理することである。
【０００３】
ほんの一つのアプリケーションにおいて、一般的には医療、および、詳細には医師の診療が、データ捕捉技術およびデータ管理技術において劇的に改善し続けていなことは理解され得る。直接の結果として、患者から医療提供者まで全ての株主が被害を被っている。技術的なソリューションが医者の大多数によって採用されていない。多くの部分に対して医師は、患者との相互作用および患者の世話に集中して独立した小さなグループとして機能し、高技術の解を有する時間も患者もほとんどない。しかし、これは、心地よい解に対して息をはずませて待っているフラグメント化された市場および巨大な市場であることは全く明白である。
【０００４】
医療の例において、医師は、１年で一人の医師あたり＄６０，０００までのレートで金を失うものとして見積まれる場合がある。なぜなら、彼らに事実上支払わせるための、コーディングの組み合わせの数百万の可能性から選択させる返済システムが複雑だからである。金融上の脅威、および、医者が自身のサービスに対して過剰に料金を課すことによる刑事上の罰金にさえ起因する歳入の損失を無くすことは、政府にとって重要なことである。患者情報の不完全なフラグメントは、病院内のアクセス不可能な紙ファイルに事実上隠され、医師は国周辺で診察し、この紙の悪夢の管理の努力において、数千万ドルが毎年捨てられている。解の必要性は、停滞し、誰もこのパズルを解こうとしなくった。なぜか？答えは、医師診療メカニクスおよび医師文化の深い理解にある。ドクターは、医師が問題を有しており、確かに痛手だということを知っている。しかし、与えられた解の痛みは、存在する問題の痛みよりも大きい。
【発明の開示】
【課題を解決するための手段】
【０００５】
本発明の範囲は、医師が一つの種類のひどく忙しいサービスプロバイダを単に表すことを悟ることによって理解され得る。多くの産業において、サービスプロバイダは、彼らが事務所に到着する時間から彼らが家に帰る時間までノンストップで患者またはクライアントを見る。週に６０時間は、ノルマであり、その時間中の彼らの集中は、患者またはクライアントである（あるいは、患者またはクライアントに関する、患者またはクライアントを評価する、患者またはクライアントの問題を決定する、可能性のある解を提供する、計画を実施する、この計画をを説明する、患者またはクライアントに対する再保証を説明する）。手短に、多くの他のサービスと同様に医療診断は、かなり、関係する、相互の、解釈上のおよび相互個人の事象である。医療技術は、少なくともサービスが適用されるのと同じ位重要である。各感情的な要求および知的な困難さが出合った後、医師は、次いで、医師の思考、印象および計画を記録する必要があり、法的文書の理由付けを正当化する。より多くの患者が積み重なると、このタスクを完了するための貴重な時間はほとんどない。従って、医師の大多数は、出合った結果を書きとらせる必要がある。これは、かなり素早く、次の患者が出合う前に編集またはレビューするために残された時間は無い。医師は、柔軟性に欠き、時間のかかるデータエントリの新規の方法を学ぶことができない。これが、今日において、５％未満が任意の種類の電子医療記録を使っている理由である。キーボード、ペンチャート、および、不正確な、不編集の音声認識プログラムは、必要な役割を果たすことができない。従って、実在するトランスクリプションシステムに依存し、いくらか場当たり的な解をコーディングして、それらを文書にして、各出会いを正当化する。医師は、このサービスに対して喜んで支払い、新しいキャリア（すなわち、文書化およびコーディング）を学ぶ重荷からの開放に値する。かれらは、指向の人々であって、指向の技術ではない。だれかに医療のこの局面を管理させるために支払う。多くは、彼らがデータ貯蔵所を建設し、医師がそれらを群れにする医師にスクリーンとキーボードおよびドロップリスト（ｄｒｏｐ  ｌｉｓｔ）とペンチャートとを提供する。多くのこのような技術進展解が存在し、大部分で、それらは、無視される、または、急に廃棄される。エントリのしきい値は単純にあまりにも大きい。
【０００６】
プロバイダは、データ捕捉解の一部としてのサービスを必要とする。技術のみでは十分ではない。さらに、ドクターおよび他の者は、ローカルサービスをたびたび欲する。いくらか、彼らまたは彼らのスタッフは、個人的にアカウンタブル（ａｃｃｏｕｎｔａｂｌｅ）を呼出し、保つ。官僚のベールの後ろに隠れていない者は、利用可能であり、かつ、関係にリスクがある。医療の応用において、今日、ローカル医療のトランスクリプトニストは、編集された医療アプリケーションを生成する役割を果たす。医療産業を映し出すと、医療のトランスクリプトニストは、また、典型的に小さく、フラグメント化されているが、医師を支えるローカルアカウンタブル店が必要である。それらはまた、必要性を有する。かれらは、最終的に技術がそれらに置き換わることを理解しているが、いつかは分からない。彼らは、彼らのクライアント、ドクターのニーズが、トランスクリプトニストが提供する紙の文書によって部分的に支持されるのみである。彼らのまさしくのキャリアは、危機である。なぜなら、それらは、小さく、フラグメント化され、それらは、ドクターの問題を解決する個人のリソースを有しないからである。同様に、コーディング解は、多く、変化され、フラグメント化されている。それらは、医師の苦悩（専門家のコーダは、包括的に必要性を処理する洞察またはリソースを有しないこと）に気付いている。
【０００７】
情報を共有するという事情において、問題の一つは、一般的には医療および特に医師診療が、データ捕捉およびデータ管理の技術に劇的な改善が続いていないという事実として表れる。公衆健康システムと個人開業医師との間で、および、病院とクリニックの個人システムとの間で重要なように、我々の公衆健康監視システムにおける主要の断絶は、公衆健康施設の間で共有するデータの古風のシステムのままである。１９９９年９月に、上院予算委員会（ｔｈｅ  Ａｐｐｒｏｐｒｉａｔｉｏｎ  Ｃｏｍｍｉｔｔｅｅ）の要求を、引き続いて、公衆健康インフラストラクチャに対する報告書を受け取った。この文書で識別された主な必要性のうちの一つは、ロバストな情報およびデータシステムに対する必要性である。この報告書の結果として、健康警告ネットワーク（Ｈｅａｌｔｈ  Ａｌｅｒｔ  Ｎｅｔｗｏｒｋ）は、疾患制御センターと健康および人間サービス局（Ｄｅｐａｒｔｍｅｎｔ  ｏｆ  Ｈｅａｌｔｈ  ａｎｄ  Ｈｕｍａｎ  Ｓｅｒｖｉｃｅ）の長官との両方の主な利点となる。ＨＡＮは、状態報告書によって目的および提案のセットに合うようにデザインされた。３つの主な目標のうちの一つは、以下に特定される。
【０００８】
「目標ナンバー２、ロバスト情報およびデータシステム。ＧＯＡＬ：各健康局は、最新の公衆健康情報および非常健康警告に電子的にアクセスして、分散させ、コミニュティの健康をモニタし、現れる公衆健康問題の方向へと手伝う。
【０００９】
推薦５：２０１０によって、全ての健康局は、インターネットへの連続した高速アクセスを有し、データ収集、輸送、電子報告、ならびに、プライバシー、および、途切れのない接続のローカル、州、連邦データシステムを保護する情報交換に対する標準プロトコルを確実にする。
【００１０】
推薦６：２０１０によって、全ての健康局が現在の公衆健康局推薦、健康および医療データ、取り扱いＵＩＤＥＬＩＮＥ、公衆健康の干渉の効果性に対する情報への即座のオンラインアクセスを有することを確実にする。
公衆健康の干渉効果によって、
推薦７：２０１０によって、全ての健康局が、安全な電気システムを介して健康情報に敏感に送信および受信する能力、ならびに、病院、医療センター、大学、ローカル公衆健康システムおよび業者間で緊急健康警告を放送する能力を有することを確実にする。
【００１１】
医療用途に関して、上記の目的は、明らかに、首尾よく現時点で利用可能な技術に投機し、公共衛生を守るために達成されなければらない。しかし、２００１年の９月のイベントは、断片化された状態ごとのアプローチが２０１０年までにその点で（ｔｈｅｒｅｒ）我々を悩ませる可能性があり、最早、贅沢な時間を楽しんでいられないことが同様に明らかにしている。数年内でなく、数ヶ月内に指定されなければならない緊急かつ明白な脅威がある。さらに、電子鎖（ｅｌｅｃｔｒｏｎｉｃ  ｃｈａｉｎ）の重要なコンポーネントは、上記の重要な勧告により、または、健康警告ネットワークにより、十分に指定されていなかった。すなわち、公私共にこの分野内でプロバイダによる正確なデータ取り込みが成功している。不幸なことに、技術ソルーションは、大部分の外科医によって採用されていなかった。この大部分の外科医は、たいていの部分に独立して機能する。大部分の外科医は、患者の相互作用および患者の看護、および医療知識の急速な進歩に遅れずにいることに焦点を当てており、高度技術ソルーションのための時間または忍耐をほとんど持っていない。結果として、国中の病院および外科医の実行上、患者情報の不完全な断片が一般人に利用不可能な紙ファイルに埋められている。この紙の悪夢を管理しようとして数千万ドルがムダに用いられているだけでなく、我々がデータを取り込んで、公共衛生、治療効果、健康傾向の初期検出についての重要な情報を細かく調べることができないことに起因して、文字通り数十億ドルが失われ、この結果、効率のよい急速なソルーションが破壊され得る。情報が取り込まれ得ない場合、情報は管理され得ない。情報が管理され得ない場合、看護が最適に改良され得ない。この単純なロジックは、バイオテロリストの脅威および公共衛生全体および安全性に対する反応の深遠な暗示である。
【００１２】
（本発明の開示）
概念的に、本発明は、様々な見地から提示され得、理解され得る。本発明は、このような詳細が限定的でないことを理解して、四つのデバイス指向の局面を参考にして一つの見地から理解され得る。四つのデバイス指向の局面は、ＣＥまたは他のパーソナルコンピューティング性能レコーダオブジェクト、ソフトウェアおよびアプリケーション等を介する精密コーディングの機能、分離したＣＥまたはアクティブ同期ドッキングポータルステーション等の他のパーソナルコンピューティング性能、および、例えば医療用途、健康保険の携帯性および責任体制に関する条例（ＨＩＰＡＡ）の適格電子署名局面におけるファイル転送プロトコルである。上記の局面のそれぞれは、もちろん、提示されて分離して用いられ得るか、または、上記の局面のそれぞれは、システム全体を提示するために上記または他の局面の任意の組み合わせまたは順列で組み合わされ得る。
【００１３】
データ作成の見地から、本発明は、データタグ付けエンジンまたは他の機能、おそらく、またはデータに対するテキスト構文解析の機能も、医療トランスクリプショニスト（ｍｅｄｉｃａｌ  ｔｒａｎｓｃｒｉｐｔｉｏｎｉｓｔ）または他のこのようなユーザ用のアプリケーションにあるようなワークフローデジタルストリームを取り扱うアプリケーション、ＨＩＰＡＡ適格電子ノート安全性転送システムを潜在的に包括するものとして理解され得る。再び、もちろん、上記の局面のそれぞれは、提示されて分離して用いられ得るか、または、上記の局面のそれぞれは、システム全体を提示するために、上記または他の局面の任意の組み合わせまたは順列で組み合わされ得る。
【００１４】
さらに、本発明はまた、デジタルストリーム、インターネットまたは他のアクセスデータベース、自動化された患者情報サービスおよび対話的なポータルベースの知識配信システムを参照することで、情報フローまたはアクセスの見地から理解され得る。１以上の、上記の局面のそれぞれは、もちろん、提示され分離して用いられ得るか、または、１以上の、上記の局面のそれぞれは、上記または他の局面の任意の組み合わせまたは順列で組み合わされ得る。
【００１５】
上記の問題を解決する際の一つのタスクは、データを単に取り込む際にある。本発明は、アメリカにおけるオフィスごとの一瞬ごとに、ハンドヘルド携帯可能なテープレコーダにディクテーションされるデータおよび情報の膨大な量と接触するように設計された要素を含む。本発明は、顧客テンプレートを直接にポケットＰＣ等のハンドヘルドデバイスのスクリーン上に配置させることにより、コーディングおよびチェックリストの二つの概念を結合させ得る。本発明は、ポケットＰＣ上に予め選択されたテンプレートへの直接的なディクテーションを可能にし、次いで、構造化データデジタル．ウェブ（ｗａｖ）または他のファイルを作成する。構造化データは、その後インターネットを介するサイト等のセキュアなサイトに送信される。局所的に独立したトランスクリプショニストの現存するネットワークは、トランスクリプショニストがノートをトランスクリプションしているか、または編集している際にウェブを介してその構造化データにアクセスし、テンプレート化データファイルにこのデータをプラグインするために、（このネットワークが医者が既に用いている医療トランスクリプショニストであり得る多くの場合において）投機され得る。驚いたことに、これは、簡単かつ継ぎ目無く達成され得る。それは、トランスクリプショニストにとって、トランスクリプショニストのクライアントにソルーションを提供し、かつ、トランスクリプショニストが既に為してきたが、最早、現場（ｓｉｔｅ  ｏｆ  ｐｒａｃｔｉｃｅ）に駆け込み、テープを選ぶ必要のない同一の仕事の多くをするトランスクリプショニストのキャリアを守る機会である。なぜなら上記技術が実行管理ソフトウェアと継ぎ目無くインターフェースをとり得るからである。トランスクリプショニストは、最早、ディクテーションされたテープに人口統計学情報を一致させる悪夢と対面しない。現在、データ（例えばコーディング）は、形成され得、取り込まれ得、一つの継ぎ目の無いプロセスにおいて構造化され得る。一つの継ぎ目の無いプロセスは、現存するネットワークに投機し、外科医に対するコストを増やすことなく、またはトランスクリプショニストへの補償を減らすことなしで済ます。実際に、上記技術は、外科医または他人の実質時間を（カスタマイズされたマクロの使用を通じて）、金銭を（より精密なコーディングを通じて）節約し、任意のインターネットポータルからアクセス可能なセキュアなサイトにおける情報を収集することにより、断片化されたアクセス不可能な患者データの負担を緩和させるために、さらに投機され得る。さらに、ＸＭＬモデルを用いて半自動化に投機して、本発明は、現存するシステムとのインターフェースを可能にし得る。１実施形態において、ワイヤレス、携帯可能な遠隔ハンドヘルド装置は、双方向のデータおよび情報ポータルとして機能し得る。
【００１６】
ハンドヘルドデータエントリデバイスは、病気監視データ、ＩＣＤ−９またはＣＰＴコーディング情報、物理的な試験、履歴またはラボデータ等の、任意の種類の関連データを記録するために用いられ得る。本システムが携帯可能で音声駆動であるため、および、上記データがテンプレートとチェックリストとを用いて形成されて構造化されるため、最適なフレキシビリティおよび非常に平坦な学習曲線（すなわち、指紋のチェックリストを用いて、テープレコードにディクテーションするのと同様の容易さ）があり、したがって、本システムは高い採用率を有する。上記データはまた、ＸＭＬフォーマットの中央データベースに安全に格納され得る。ここで、上記データは凝集され得、次いで多数の必要性に役立つためにクエリされ得る。さらに、テンプレートモデルは、任意のエンティティがウェブからダウンロードされた顧客テンプレートおよびチェックリストを作成することを可能にし、特定の重要なデータ要素が取り込まれ得、タグ付けされ得るようなデータエントリを形成する。さらに、上記ソルーションは、双方向に作用し得る。カスタマイズされたテンプレートはインターネットを介して全てのハンドヘルドデータエントリデバイスに展開され得るだけでなく、カスタマイズされたテンプレートはまた、健康警告、アップデートおよび関連テンプレートを即座にリアルタイムで受信し得、両方向の情報サイクルを劇的に短縮する。無線ワイヤレス技術を備えた遠隔システムは、遠隔地が中央データ処理レポジトリおよびリアルタイムの健康警告ネットワークに接続されることを保持するように用いられ得る。
【００１７】
（本発明を実行するためのモード）
より一般的な観点から、本発明は、構造化データを作成するシステム、方法およびデバイスを含む。構造化データは、データが特定の環境で十分に用いられ得るフォーマット化されているデータである。本システムは、容易に用いられるデータ作成プロセスを提供するように用いられる。ここで、初期のコンテンツジェネレータは、いかなる特定の知識も有する必要はない。本システムは、バーバル情報エントリを可能にし、その入力を行い、プロセスに進むように設計され、これにより、最終結果物は、おそらく、組み込まれたデータタグ（２）を幾分含む情報、またはより適切か、またはより容易なデータの使用を可能にし得る他の構造のおそらく幾分高度に構造化されたデータベース（１）である。容易に理解され得るように、本発明は、様々な分野に対する用途を有する。情報が生成され、用いられるように望まれる文字通り任意の分野は、本発明の種々の要素によってある程度まで利益を得る。この点において、本発明は、医療用途（それ自体がこのような新規かつ独自の技術に対する新規かつ独自の使用を表現している）を背景に説明されることが多いが、このような説明は限定を意図されていない。
【００１８】
おそらく、実施形態のたいていの明白な局面は、作るべきコンテンツ負担分を持つユーザによってバーバルデータエントリを可能にするコンピューティングデバイスのいくつかのタイプの使用である。おそらく、コンピューティングデバイスは、デジタルレコーダ等の携帯可能なコンピューティングデバイスであり得る。コンピューティングデバイスは、幾分限定された性能を備えたハンドヘルドエントリデバイス（３）でさえあり得る。以上で説明されたように、この第１のコンピューティングデバイスは、他の、より満たされた特徴化されたデバイスまたは性能によって増やされ得る。
【００１９】
１実施例において、ハンドヘルドデータエントリデバイス（３）は、ＣＥまたは他のコンピューティング性能レコーダオブジェクトであり得る。本発明のこの局面は、概して、おそらくＣ＋＋で書かれたか、またはアプリケーションを構築する際の配信使用のためのＣＯＭオブジェクトとしてコンパイルされたＣＯＭ（コモンオブジェクトモデル）ソフトウェアコンポーネントオブジェクトに関連し得、含み得る。アプリケーションを構築することは、レコーダ機能を必要とし得るか、またはレコーダ機能が有用であると分かり得る。詳細には、本発明のこの要素は、新規または他のＣＯＭオブジェクトを設計し、コーディングし、コンパイルすることに焦点を当て、提供し得る。新規または他のＣＯＭオブジェクトは、アプリケーションの使用に対する所望の機能を所有し得る。アプリケーションは、ＣＥベースまたは他のこのようなデータベース形態に埋め込まれたデジタルレコーディング機能を必要とし得るか、この機能が有用であると分かり得る。
【００２０】
さらに、本発明のこのエレメントは、アプリケーションにレコーダオブジェクトを加える能力を含み得る。このアプリケーションは、開始する、停止する、一時停止する、または、レコード中の所望のポイントへのスライドバーを利用するための所望の機能を有する。それは、デジタルフォーマット（＊．ｗａｖ、ＭＰ３、またはその他等）で音声を捕捉するように機能し得る。これは、おそらく、設計者により可変であるが、受入可能な質の範囲である。それは、オーディオの質、デジタル圧縮比、および得られた＊．ｗａｖファイルの最適化されたサイズのバランスをとるために最適化されたＣＯＤＥＣを使用し得る。
【００２１】
ソフトウェアおよびアプリケーションを介する精密コーディングのための機能性は、種々のレベルに含まれ得る。本発明のこの局面は、概して、Ｗｉｎｄｏｗ
ＣＥ  Ｐｏｃｋｅｔ  ＰＣまたは他のこのようなデバイスのために開発されたデータベース形態に関し、および、このデータベースを含み得る。それは、プロンプト（４）を埋め込み、再度複数のレベルで、医療または他のこのようなレコードまたはデータ要求のサポートにおいて最適な、正確な、および詳細なコードを選択するためにヘルスケアまたは他のこのような専門者またはユーザ（５）を支援し得るピックリストに構築され得る。医療用途では、このようなコーディングは、Ａｍｅｒｉｃａｎ  Ｍｅｄｉｃａｌ  Ａｓｓｏｃｉａｔｉｏｎ（ＡＭＡ）または他の指示体によって特定され得る。具体的には、本発明のこの局面は、データエレメントおよびスキーム（ｓｃｈｅｍａ）を、ユーザに双方向性に「エレメント」（ａｋａ  ｄａｔａ）および「ＳＵＢＭＩＴ」（ａｋａ’ｃｏｍｍｉｔ
ｔｏ  ｔｈｅ  ｄａｔａｂａｓｅ’）を入力することをプロンプトし得るＣＥベースまたはアプリケーションソフトウェアコードを有する他のこのような形態に組み込み得るプログラミング技術またはアプリケーション上に焦点を置いている。これらは、ディクテーション（例えば、＊．ｗａｖファイルへの音声捕捉）モジュールでの使用のためのコーディングアウトラインを構築するように作用し得る。
【００２２】
おそらく、本発明が対処する最も重要な問題の一つは、ＡＭＡまたはその他によって特定化され得るような、広大なコーディングオプションルールセットを、医者または他の人が患者の検査または他のイベントのために、ピックリストまたはチェックリストからエレメントを選択することができる場所の使用または注意のポイントにおいて、モバイルの、携帯の、または、さらにハンドヘルドのデバイス上の医者または他のユーザ（５）の手に入れることである。これは、プロンプト（４）を含み得、そして、トランスクリプションの＊．ｗａｖフォーマットとして格納された音声捕捉ファイルにディクテーションするテンプレートとして機能し得る双方向のアウトラインを構築し得る。
【００２３】
図１を参照すると、システム全体がそれぞれが究極的な終端結果のために異なる機能性を供給するいくつかのエレメントを含み得ることが見られ得る。基本的な形態では、本システムは、ユーザ（５）がハンドヘルド入力デバイス（３）等の第一のデバイスによって捕捉されるバーバルの情報（６）を提供することを許容し得る。このハンドヘルドデータ入力デバイス（３）は、次いで、いくつかの機能を達成し得、次いで、分離したコンピューティングデバイスからの情報を提供および受け取り得る。これは、挿入されたコードトランスクリプションシステム（７）を含み得、このコードトランスクリプションシステム（７）は、それ自体で、トランスクリプション入力エレメント（８）を有し得、これにより、より伝統的なトランスクリプション入力が提供され得る。所望の構造化データの作成を容易にするために、あるレベルにおいて、拡張のマークアップバーバル生成器（９）等のタグエレメントが含まれ得る。最後に、この実施形態では、全体的な格納、分析、および収集された情報（１０）の使用のための他の能力さえもあり得る。これは、中央のオーソリティ（１１）その他のものを含む（しかし、これに制限されない）、任意のレベルにおいて存在し得る。
【００２４】
システム全体の目的は、当然、特定のデータコンテキストに適切な構造化されたデータを作成することである。これを促進するために、図２に示されるように、実施形態は、格納データコンテキストエレメント（１２）を含むメモリまたは他のアイテムを含み得る。このエレメントは、適切なサブスタンスを提供する際にユーザ（５）を支援し得る。それは、さらに、以下に説明される構造化されたデータを作成する際に支援し得る。これらの目的の任意に役立てるために、それは、ユーザ（５）がユーザのバーバル入力の作成の間に参照するディスプレイとして構成され得る。これは、適切なバーバル情報の作成において支援し得、そして、これにより、適切な入力の存在を保証するために機能し得る。
【００２５】
理解されるように、これは、特定のデータの必要性に応じて大いに変更され得る。したがって、用語データコンテキストは、適切な入力の作成において支援する任意の局面を包含することが意図される。これは、簡単なピックアップリストからチェックリストに（高度に特定化された入力）に及び得る。必要なもの全ては、エレメントまたは工程が、情報が利用されるかまたは生成されるコンテキストを提供すると考えられる所望の作成において支援するために機能することである。おそれく、この一般的な概念がより容易に理解される実施形態は、コンテキストエレメントとしてバーバルディスプレイ（１３）を使用する潜在性である。このように、バーバルディスプレイは、ユーザ（５）をガイドするように機能し得ることが理解され得る。適切な情報を選択することによって、それは、さらに、データ入力作用マテリアルディスプレイとして機能し得る。したがって、その情報は、データ入力作用マテリアルとして機能し得る。データコンテキストに相関されるようにこのようなマテリアルを確立することによって、それは、所望されるように入力を形成するように機能し得る。
【００２６】
当然、ディスプレイをデータコンテキストに相関させるまたは調整するための多くの方法がある。コンテキスト自体は、データ入力の必要コンテキストとして、データ情報の必要コンテキストとして、ユーザリマインダーコンテキストとして、最優先事項である情報分布を保持するように設計されたコンテキストとして、統計的な入力の必要コンテキストとして、または、近実時間の統計的な生成された必要コンテキストとして、設計され得る。このことの全ては、ドキュメントタイプの定期構造の原理を用いて作成され得る。さらに、それは、特定のドキュメントタイプの定義に適合するデータの生成を指示するように機能し得る。コンテキストは、フィールドセグメント化情報を、オーダ情報を、または、さらに、フィールドセグメント化情報を介して配列を供給し得る。
【００２７】
本発明の局面は、バーバル情報生成の時間にユーザ（５）に対して入手可能なデータコンテキスト情報を利用させる可能性である。一実施形態では、これは、ハンドヘルドコンピューティングデバイス（３）等の第一のコンピューティングデバイスによって制御されたデータコンテキスト情報を有することによって達成され得る。これは、バーバルに生成された情報を順序付けする際に、適切なデータフィールドを介して配列する際に、または、適切なフォーマット情報を提供する際にユーザ（５）を支援し得る。このため、構造化データは、フィールドフォーマット、順序フォーマット、サブコンテキストフォーマット、メタ言語フォーマット、および組み込みコードフォーマットに配列され得る。重要なことに、これらの広範囲のタイプの所望された最終結果（ｅｎｄ  ｒｅｓｕｌｔ）のそれぞれは、ディクテーションの時間においてデバイスによって支援され得る。データ入力作用マテリアルは、それが所望されるが、それを達成する手段ではない、結果として得られた構造化データのような、チェックリスト、ピックリストマテリアル、入力プロンプト情報、または任意の他のタイプの情報であり得る。適切なファイルまたは画面作成を通して、ソフトウェアサブルーチンは、入力オーダーエレメント、配列されたフィールドエレメント、ドキュメントタイプ定義構造エレメント、ドキュメントタイプの定義構造プロンプト、フィールドセグメント化ディスプレイまたは任意の他のタイプのエレメントとして機能し得る。
【００２８】
先に言及したように、本発明は、多岐にわたる用途のために構成され得る。したがって、データコンテキストエレメントは、医療診断情報エレメント、患者の診断情報エレメント、医療保険情報エレメント、外来性医療イベント情報エレメント（炭疽または別の異常なおそらく識別困難なイベントその他の適切な診断を指示すること等）として、生物兵器診断情報エレメントとして、またはその他としてセットアップされ得る。
【００２９】
重要な特徴は、バーバル情報を使用するための本発明の能力である。実施形態は、バーバル入力の少なくとも一部を代表的なデータまたはさらにはデジタルバーバルデータに変換するによって、このことを達成し得る。バーバル情報入力エレメント（１４）が存在し得る。これは、ファイル生成エレメント（１５）への入力として機能し得る。ファイル生成エレメント（１５）は、プログラミング、ハードワイヤリング、または第一のコンピューティングデバイスの能力（１６）内部のリードオンリーメモリの制御された能力であり得る。したがって、それは、ハンドヘルドデータ入力デバイス（３）またはその他の類似品上で達成されるように存在し得る。理解され得るように、ファイル生成エレメント（１５）は、バーバルまたは音声入力から任意のタイプのファイルを生成するように機能し得る。これらは、ウェーブファイル（例えば、少なくともいくつかの＊．ｗａｖ構造またはウェーブファイル生成器を介した互換性を有するファイル）から、ＭＰ３ファイル、スピーチ認識ファイルに及び得る。後者は、現行では、実用的であるためには非常に高いコンピューティング性能およびスピードを要求する可能性があるが、技術が進歩するとより実用的になる可能性がある。一旦生成されると、バーバル情報ファイルは、少なくとも一時的には、格納され得る。格納は、一時的または他の場合であっても、ディクテーションが生成したのと場所と同一の位置において同一のハンドヘルドデバイス上で生成する可能性があり得る。これは、バーバル情報まメモリエレメント（１７）およびバーバル情報捕捉エレメント（２０）を提供することによって達成され得る。これらは、共に、同じ形態でバーバル情報を捕捉するように機能し得る。
【００３０】
データ作成のポイントにおいても、実際の構造化されたデータを作成するプロセスを開始すること重要である。これは、データを開始からのタグされたフォーマット内に作成することによって達成され得る。第一のコンピューティングデバイスの能力（１６）がタグを生成するのに十分でない場合（現在の技術であり得るように）、システムは、ユーザ入力を適切なタグを挿入するインストラクションとして受け入れ得る。この入力は、任意の形態をとり得るが、最も簡単な形態では、特定のアイテムが入力されるか、またはこれから入力されるところであることを、ハンドヘルドデータ入力デバイス（３）に命令するキーストロークまたはタッチパッドであり得る。このような入力は、入力エレメントおよびバイナリ入力エレメント（１９）として作動するように認識するための関連するサブルーチンを有する（別々に決定された）バイナリのユーザ入力である考えられ得る。これは、次いで、予備的なまたは他のタグ（２）をディクテーションのストリームに挿入し得、構造化データ情報挿入エレメント（２１）として機能し得る。したがって、これは、ハンドヘルドデータ入力デバイス（３）により部分的なデータ構造情報の挿入さえを生じさせ得る。このようなタグは、当然、ディクテーションされることになっているかまたはちょうどディクテーションされたデータのタイプを理解する場合にトランスクリプショエイストを支援するように機能し得る。そのように構成された場合、バーバル情報メモリエレメント（１７）に格納された情報は、ある種のタイプの複合の構造化データ（ハンドヘルド複合データメモリとして機能するメモリを有する部分バーバルまたは部分的な挿入されたコード）であり得る。したがって、ハンドヘルドデータ入力デバイス（３）は、構造化データ確立エレメント（１８）の少なくとも第一の部分をおそらく部分的に構造化データ情報挿入エレメントとして含み得る。
【００３１】
上述のように、最終的な結果は構造化されたデータを作成することである。これは、データがタグ付けされているエンジンを用いて、またはテキストをデータに構文解析することによって達成され得る。本発明のこの局面は、以下に限定されないが、ＳＧＭＬおよびそのサブセットＸＭＬを含む、概して特許周辺の特許のラッパーまたは工業規格のコンピュータ化されたメタ言語のセットに関し、そしてこれを含み得る。これらのメタ言語は、ＤＴＤ（ドキュメントタイプ定義）およびＸＳＬＴ（拡張可能スタイルシート言語変換）規格を恐らく含む医療または他の符号（ｎｏｔｅ）ＸＭＬ（拡張可能マークアップ言語）方式の生成を可能にする。特に、本発明の局面は、ビジネス「使用状況（ｕｓｅ  ｃａｓｅ）」からコンテンツ駆動メタ言語への情報を形成して、特定の説明された感心のあるデータ要素のための種々の記述的な局面を捕獲することに集中し得る。
【００３２】
恐らく、本発明が解決し得る最も重要な問題の内の１つは、ビジネス知識、あるいは種々のドメイン、またはフォーカスからの他の情報を形成する機能であり、ビジネス知識、あるいは種々のドメインまたはフォーカスは、典型的にはテキストとして捕獲され、そしてデータを記述し、テキストベースの情報が格納および取り出しのためのデータベースにおいて捕獲され得るデータ要素に構文解析される情報を有効にする均一なメタ言語を潜在的に作成する。
【００３３】
これは、バーバル情報を所望のデータコンテクスト内部の構造化されたデータに変換することによって達成され得る。ポイントオブディクテーション（ｐｏｉｎｔ−ｏｆ−ｄｉｃｔａｔｉｏｎ）デバイスは、能力を制限され得、第２のコンピューティングデバイス（恐らくフルフィーチャード（ｆｕｌｌ  ｆｅａｔｕｒｅｄ）コンピューティングデバイス）は、このより多く要求されている機能を達成するために使用され得る。効率性のために、これは、特化された転写が常駐される第２の位置または第２のコンピューティングデバイス上で達成され得る。従って、第２のデバイスは、構造化されたデータ確立要素（１８）の第２の部分を含み得る。
【００３４】
上述されかつ図３に示されたように、この第２のコンピューティングデバイスは、挿入されたコード転写システム（７）の一部として構成され得る。このシステムは、バーバル情報のテキストへの変換ばかりではなく、構造化されたデータコード等の関連付けられた挿入も同様に容易にするかまたは達成するように構成され得る。テキストへの変換およびコードの挿入の両方は、自動的で、手動で、またはハイブリッドシステムで達成され得る。ハイブリッドシステムでは、転写者（熟練した医療転写者または専門的な符号化者（ｃｏｄｅｒ））は、必要に応じて、適切な判断を行うか、または適切なコードまたはタグを挿入するのに利用可能である。これは、上述の転写者入力要素（８）を提供し、それにより、転写者タグ付けが発生し得ることによって達成され得る。理解され得るように、挿入されたコード転写システム（７）においてプロンプト（４）等が提供され得る。このシステムは、解析または挿入されたコード等によってトリガされ、転写者を支援し得る。これの全ては、第２の計算デバイスの能力（２２）によって制御され得、それにより、システムは、データコンテクスト内部のタグ付けされた構造化されたデータを確立またはタグ付けされたフォーマットに構造化されたデータを確立するように作用する。
【００３５】
一旦十分に作成されると、この要素は構造化されたデータを作成し得る。これは、構造化されたデータメモリ（２３）に格納され得る適切な設計によって、このシステムは、特定のデータコンテクストのための構造化されたデータの作成のために提供し得る。このようなシステムは、データコンテクストが構成された構造化されたデータ確立要素（２４）として機能してもよいし、これを含んでもよい。適切なデータコンテクストに調整された特定のタグまたはコードの入力のために構成される場合、システムは、データコンテクストが構成されたタグ付けされた構造化されたデータ確立要素として機能してもよいし、これを含んでもよい。説明または元のデータ保持のために、システムは、構造化されたデータに元の変更されていないバーバル情報を含み得、この情報は、変更されていない情報格納素子に格納され得る。図５を参照して、これは、構造化されたデータ内に本来捕獲されたデジタルバーバルデータの少なくとも一部を含むことを生じ得る。
【００３６】
このシステムはまた、複数の構造化されたデータフォームを同様に生成するように構成され得る。これは、種々の支配的な要求（保険、ＣＤＣ等）に対して有用であり得、適切なサブルーチンまたは他のもの等の複数のデータ構造確立要素の包含を生じ得る。互換性のために、拡張マークアップ言語（ＸＭＬ）フォーマット等の共通の符号化フォーマットが使用され得る。適切な設計またはプログラミングによって、ソフトウエアまたはハードウエアは、恐らく拡張マークアップ言語発生器等のタグ付けされたデータ入力（２５）を提供し得る。
【００３７】
医療または他の転写者は、ワークフローデジタルストリームアプリケーションまたはワークフローデジタルストリームを処理するためのアプリケーションと共に作動し得る。この局面は、一般的にデジタルストリームディクテーション環境のためのワークフロー処理を自動化するように指向された能力に関し、これを含み得る。これは、デジタルストリーミング技術、データベースアプリケーション、および／またはインターネットコンピューティング環境によって達成され得る。特に、この局面は、以下のいずれかに対してフォーカスまたは提供され得る。すなわち、＊．ｗａｖフォーマットでデジタル化された音声ファイルにアクセスするインターネットを始動することによって、連続体に沿ってデジタル転写のためのワークフロープロセスを自動化するため、セキュリティおよび配信のために＊．ｗａｖファイルをデータベースに格納するため、取り出しおよび処理のテキストファイル（＊．ｒｔｆ）への転写のため、テキストファイルのＳＱＬ（構造化されたクエリ言語）データベース等への格納のため、ならびに、これを用いてクライアントに再度送達し、プロセスの開始時において安全なインターネット接続を保証するためである。
【００３８】
位置を分離するかまたは位置を分離するためにエンドに構造化されたデータを提供するシステムでは、転送能力を含むことは有用であり得る。データ転送要素（２６）は、いくつかのレベルにおいて存在し得る。ハンドヘルドデータエントリデバイス（３）から挿入されたコード転写システム（７）への転送は、自動的であり得、以後説明するように、いくつかのソートをアップロードすることによって同様に達成され得る。便宜のため、このシステムは、転送の無線方式、転送のインターネット方式、および転送方式に基づいた携帯電話システムを容易にするように設計され得る。適切な要素は、無線転送要素、インターネット転送要素、および携帯電話システム転送要素等に含まれ得る。これは、デジタルのバーバルデータのために構成され得、そしてこのデータを転送するように主として機能し得る。敏感なデータの後に、さらにこのようなデータを安全に転送するように構成され得る。
【００３９】
転送はまた、挿入されたコード転写システムおよび中央オーソリティまたはレポジトリ（１１）等の他の位置に発生／形成する。ここでは、集合情報（１０）が格納され、維持される。医療または他のデータが高度に敏感であり得るため、データ転送（２６）は、個人アイデンティティ情報を奪うための情報ストリッパ（２７）を含み、特定の位置で個々の匿名の情報を作製し得る。本来、任意のデータ転送要素（２６）は、安全な情報転送要素として設計され得る。
【００４０】
アクティブドッキングポータルステーションを使用する可能性が含まれ得る。本発明の局面は、概してＷｉｎｄｏｗｓ（登録商標）ＣＥまたは他のこのようなデバイスのためのアクティブ同期機能性を最適化することに関し、特許のコンポーネントシステムを含み得る。ヘルスケアまたは他の専門家またはユーザ（５）が、ポケットＰＣ（Ｗｉｎｄｏｗｓ（登録商標）ＣＥ  ＰＤＡデバイス）、あるいは他のこのようなデバイスからローカルドッキングベイまたはキャッシングおよびデータ転送のための接続された能力に最速かつ最も安全な同期処理を達成することを可能にするように設計され得る。特に、本発明のこの局面は、コンポーネントの最適なセットを設計および符号化する際にアプリケーションにフォーカスして、アクティブ同期の標準的な機能性を向上させ、それにより、ＣＥベースのＰＤＡ（携帯情報端末）またはこのような他のデバイスからＰＣベースのドッキングまたは接続ステーション、ならびに、格納および機能性を検査するためドッキングまたは他のステーションから安全なウエブサイトまで、より高速の、より効率的な、およびより安全なデータの転送を可能にし得る。この点では、本発明が解決する別の重要な問題は、より大きいファイル転送の必要性、データ転送の間の速度および信頼性、大きい音声ファイルの移動効率、転送の間のファイル転送のセキュリティ、および返信受領能力および検査トレイル文書化を有する特化された宛先に到着するファイルのセキュリティにアドレスすることによって標準的なアクティブ同期機能の機能性に追加するカスタムアプリケーションを作成することである。
【００４１】
医療のコンテクストで理解され得る本発明のさらに別の局面は、ＨＩＰＡＡ準拠電子ノートセキュリティ転送システムまたは機能性である。概して、本発明の局面は、ＨＩＰＡＡ（健康保険の移植性および説明動作）セキュリティ規格を、安全なノート転送および検査トレイル作成のためのインターネットでアクセスされた電子ノート送達システムに埋め込むことに関し、この埋め込みを提供する。特に、本発明のこの局面は、任意のセキュリティ仕様（以下に限定されないが、ＨＩＰＡＡにおいてセキュリティ仕様の最新のセット（本明細書中で参考として援用する））を利用する安全なドキュメント転送アプリケーションを構築することに集中し得、このことを提供する。そのコンテクストが医療方法に関連する場合、これらの全ては、高度に敏感な、患者情報ファイルのインターネット転送およびデータベース格納に提供され得る。
【００４２】
本発明はインターネットを介してドキュメント転送のための安全なアプリケーション環境を作成するために構成され得る。これは、ＨＩＰＡＡまたは他のこのような仕様に基づき得る。ドキュメント転送の全体の寿命に対する標準および検査トレイルを展開するヘルスケアの全てに対する任意の命令と一致する構成が自動的に提供され得る。
【００４３】
さらなるセキュリティのために、ＨＩＰＡＡコンプリアント署名要件などの電子署名局面が含まれ得る。本発明のこの局面は、セキュアなウェブサイトに対して、ヘルスケアまたは他の人あるいは専門家を認証し、適切に認証されたユーザに確立されたコンテンツを送達するための電子署名ソフトウェアアプリケーションを含み得る。具体的には、本発明のこの局面は、セキュアアーキテクチャシステムに対して認証するために、ＵＳＥＲ ＮＡＭＥおよびＰＡＳＳＷＯＲＤなどでユーザインターフェースポータルを介するログインの使用に焦点を当て、かつ、提供し得る。適切な許可を介して権利を得る一方で、それは、認証され、割り当てられた全てのリソースに対してアクセスを集中させ得、＜ｃｏｎｔｒａｃｔ＞トランザクションを閉めるように、グラフィックイメージ＜ｇｒａｐｈｉｃ：ｓｉｇｎａｔｕｒｅ＞を戻し得る。それは、また、電子署名レジスラチャ仕様に適応し、かつ、準拠するように、設計され得る。
【００４４】
本発明は、そのプロセスにおいて必要な最終工程、医者または他の人の署名の記録、および、ドキュメントの完了および閉鎖を示すために、視覚的に満足のいくグラフィック署名で、トランザクションを認めるおよび閉じる（例えば、医療例において、患者の医療記録に永久的な入力を行うための医療覚書を閉じる）必要性で、セキュア環境を包み込むように‐‐その詳細は、高レベルのセキュリティを説明および命令する‐‐機能し得る。
【００４５】
本発明は、また、トランスクリプトが、プロセス中のドキュメント作業の効率性およびセキュリティを最大化する連続体に沿った全てのカスタムツールを有することを潜在的に可能にする一方で、クライアントに送達されるべきテキストおよびデータファイルへの音声ファイルの遷移に対して、「ゆりかごから墓場まで」からの自動化を提供し得る。
【００４６】
構造化されたデータが作成されると、多くの態様で利用され得る。この点において重要な可能性は、個々のデータだけでなく、多くの格納された構造化データによって作成された集合情報を統計的に解析することを提供する可能性である。図４を参照すると、さまざまな構造化されたデータをデータベース（１）にコンパイルすることによって、データベース（１）およびその集合情報（１０）を解析する可能性が理解され得る。例えば、集合情報（１０）が中央当局またはレポジトリ（１１）においてデータベース（１）に格納された場合、統計的解析要素または他のものなどのデータ解析要素（２８）は、周期的に、または、データベース（１）にそれが入力されると、そのデータをレビューし得る。集合化された多くの格納され、構造化されたデータ解析要素、ニューラルネットワーク解析要素、傾向解析要素または他のものを提示することによって、そのシステムはインパクト、または、先に容易に特定し得ないリスクを特定し得る。解析のためのこの技術は、当然、統計的解析から傾向解析、人工インテリジェント解析、ニューラルネットワーク解析でさえの範囲で変動し得る。この点から、そのシステムは、そのような解析の結果として関連情報を特定し得る。これは、通常頻繁な症状またはイベントに含み得、ロケーションなどによるイベントに相関し得る。コンフリクト環境において、それは戦場イベントに関連し得る。自国において、それは、町、国、ポスタルチェーンによって、多くのポスタルチェーンによって、支配再分割によって、予定統計領域などによって、イベントに相関し得る。それは、また、中央当局（恐らくは、疾病対策センタ、自国セキュリティオフィス、法執行局、または、同時に多くの法執行局にさえ）に情報を自動的に提供し得る。
【００４７】
当然、システムは、また、ユーザに情報を提供し得る。これは、情報アップロード要素を提供することによって（例えば、示されるように、データ転送要素（２６）の任意の一つを２つの方法の容量で機能させることによって）、為され得る。この態様において、そのシステムは、（従来にまさに解析された記録に関連する）遡及効果情報などの関連情報をユーザに提供し得る。アップロード情報によって、それは、分離されたリソース（２９）から利用可能であるように、特定の懸念をユーザに警告し、さらなる情報をユーザに問い合わせ、または、利用可能な情報（例えば、特定のイベントに対して手順を変更を推奨する情報）をユーザに知らせ得ることさえできる。命令デバイスの地点はすでに情報を表示しているので、それは、ユーザに潜在的に関連する情報を表示し得る。それは、また、現在のテロリストおよび生物学的テロ環境において、それは、また、警告情報、症状特定情報、および位置特有情報をヘルスケアプロバイダに提供し得る。この表示ディスプレイ（１３）は、したがって、ユーザ警告要素またはヘルスケアプロバイダ警告情報ディスプレイとして構成され得る。立地依存アイテムに対して、これは、ＧＰＳの機能、または、命令デバイスの地点における他の位置データを含めることによって、容易にされ得る。
【００４８】
したがって、情報のこのアップロードは、自動的に行われるか、または、ダウンロードの前に、デバイスの使用の前に、もしくは、ダウンロードの時にでさえ、情報のアップロードに対して提供されるなどの任意の時間において促進され得る。中央当局ダウンロード要素は、利用前情報アップロード要素およびダウンロードリンク情報アップロード要素と同様にいつでも利用可能であり得る。
【００４９】
上述したように、全体のシステムは、多様なアプリケーションに対して構成され得る。それは、医療診断情報を生成し得るように用いられ得る。この態様において、それは、ユーザが、後に格納または解析するために、患者の診断情報を示すか、保証請求情報を示すか、潜在的な異国の医療イベント情報を示すか、潜在的な生物兵器症状情報を示すか、医療および医療化サービスセンタ（ＣＭＳ）‐セキュア情報を示すことを可能にする。
【００５０】
法執行関連情報を生成するためにそのシステムを構成する可能性を含む、他のアプリケーションも、また、可能である。法執行専門家は、同様の格納および解析のために、事件現場情報を示すか、潜在的テロリストイベント情報を示すか、潜在的生物兵器情報を示すか、事故イベント情報を示し得る。
【００５１】
一般的なビジネスでさえ、ビジネス請求情報を示すか、サービスプロバイダ情報を示すか、または、医療またはメンテナンス情報を示すなどの、ビジネス情報を生成するためにシステムを設定することによって、そのシステムを使用し得る。上記のそれぞれについて、サブルーチンまたはハードウェアは、法執行情報要素、潜在的生物兵器イベント情報要素などとして機能するように設定され得る。
【００５２】
調査または使用のために情報を提供する際に、デジタルストリーム、インターネットアクセスリサーチデータベースが提供され得る。この局面は、臨床ユーザに対して、シームレスで、使いやすいフロントエンドアクセスインターフェースのための機能を提供し得、任意のブラウザイネーブルシステムから、プライベート詳細データソースおよび公開要約データソースに対するアクセスを得る。具体的には、それは、ＳＱＬ（構造化照会言語）データベースなどに格納されたバックエンドデータと会話するために、フロントエンドグラフィカルユーザインターフェース（ＧＵＩ）であるコンパイルアプリケーション、および、フロントエンドユーザセレクションにビジネスルールを供給するミドルウェアアプリケーションソフトウェア機能のセットに焦点を当て得る。
【００５３】
本発明は、データベース内に格納されたデータの可能な許可、アクセスおよび有用性で、データベースに問い合わせするユーザの必要性に関連し得るアプリケーション機能をイネーブルにすることによって、臨床または他のユーザが標準的ブラウザと会話することを単純化するように、設計され得る。
【００５４】
自動化患者または他の被験者情報が、また、提供され得る。この局面は、患者に対して、シームレスで、使いやすいフロントエンドアクセスインターフェースのための機能を提供し得、任意のブラウザイネーブルシステムから、プライベート詳細医療または他の記録データソースおよび公開要約データソースに対するアクセスを得る。上述したのと同様に、この局面は、ＳＱＬ（構造化照会言語）データベースなどに格納されたバックエンドデータと会話するために、フロントエンドグラフィカルユーザインターフェース（ＧＵＩ）であるコンパイルアプリケーション、および、フロントエンドユーザセレクションにビジネスルールを供給するミドルウェアアプリケーションソフトウェア機能のセットに焦点を当て得、または、関連し得る。医療用途において、そのシステムは、データベース内に格納されたデータの可能な許可、アクセスおよび有用性で、データベースに問い合わせするユーザの必要性に関連するアプリケーション機能をイネーブルにすることによって、患者が標準的ブラウザと会話することを単純化するように、設計され得る。会話ポータル型知識送達システムを提供することによって、そのシステムは、ユーザ情報およびリクエストを集めるためにインターネットを使用し得る独自または他のソフトウェアを提供し得、電子的に送達可能な形態でカスタム応答を形成し、パッケージ化する。
【００５５】
本発明の重要な局面は、そのシステムは、データベース内に格納されたデータの可能な許可、アクセスおよび有用性で、データベースに問い合わせするユーザの必要性に関連するアプリケーション機能をイネーブルにすることによって、ユーザが標準的ブラウザと会話することを単純化し得、次いで、そのコンテンツを、クライアントに所望に送達可能にカスタマイズする（または形作る）ように、双方向ドキュメントを戻すデータベースを有することである。
【００５６】
上記から容易に理解され得るように、本発明の基本的な概念は、多様な態様で実現され得る。それは、コンピュータトランスクリプションと関連技術との両方に関連し、同様に、適切なコンピュータ増強プロセスを達成するためのデバイスに関連し得る。このアプリケーションにおいて、トランスクリプション技術は、説明された様々なシステムによってなされるように示された結果の一部、および、利用に固有の工程として、開示されている。それらは、単純に、意図され、説明されたシステムを利用する自然の結果である。さらに、いくつかのシステムが開示されるが、これらは、特定の方法で達成されるだけでなく、多くの態様に変動し得ることが理解されるべきである。重要なことは、上述の全てについて、これらの様相のすべてが、この開示によって包含されると理解されるべきである。
【００５７】
この仮出願で述べられている考察は、基本的な考察として役立つことを意図する。読み手は特別の考察が可能な全ての実施例を明瞭に記述し得ないことを承知しており、多くの代替的な考察は暗示される。発明の包括的な特徴を説明することもまた十分でなく、各機能または素子が実際的には上位的な機能の代表であり、または、多彩な代替的または等価な要素の代表であることもまた明示的に示されていない。この場合も、これらの機能または要素は、この開示に暗示的に含まれる。本発明は、プロセス指向の術語で記述されており、プロセスの各要素は、いくらかのデバイスによって暗示的に実施され得る。装置クレームがそのようなデバイスに含まれるのみならず、方法クレームまたはプロセスクレームもまた、本発明の機能および各要素の実施に対応して含まれる。記述や術語は、全特許明細書に含まれているクレームのスコープを限定することを意図するものではない。
【００５８】
本発明の本質から逸脱することなく種々の改変が可能であることもまた理解されるべきである。そのような改変もまた暗示的に詳細な説明に含まれる。それらもまた、本発明のスコープを十分に満たす。明示の実施例、多彩で暗示的で代替的な実施例によって包含される広範囲の開示並びに広範囲の方法およびプロセスなどが本開示によって包含される。
【００５９】
さらに、本発明の種々の要素およびクレームの各々はまた、種々の様式で達成され得る。本開示は、任意の装置の実施例、方法またはプロセスの実施例の種々の実施例の変形、または任意のこれらの種々の要素の変形さえも、包含することが理解されるべきである。特に、本発明の要素に関係する開示、各エレメントに関する語句は、等価な装置用語または方法用語によって表現され得ることが、たとえ機能または結果が同じであったとしても、理解される。そのような等価な、広い、または一般的な語句は、要素または作用の詳細な説明に包含されることが考慮されるべきである。そのような用語は、本発明が与えられる権利の暗示的に広い範囲を明示するために代用され得る。ある例では、全ての作用は、ある作用を得る手段またはある作用を起こす要素として表現されることが理解されるべきである。同様に、開示された物理要素は、物理要素を製造する作用の開示を包含することが理解されるべきである。この最後の局面に関して、ある例では、「トランスクライブする」工程の開示は、明示的にまたは暗示的に、「トランスクライバ」の開示を包含することが理解されるべきである。逆に、「トランスクライバ」の実行的な開示には、「トランスクライブする」工程および「トランスクライブする手段」の開示が包含されることが理解されるべきである。そのような改変および代替の用語は、本発明の詳細な説明に明示的に含まれることが理解され得る。
【００６０】
したがって、記載されたクレームだけでなく、少なくとも以下の任意の権利範囲がサポートされることを理解し得る。ｉ）本明細書で記載され開示された方法またはプロセス、ｉｉ）そのようなプロセスを達成するための関連デバイス、ｉｉｉ）これらのデバイスおよび方法の各々に類似の、等価な、および暗示的なバリエーション、ｉｖ）開示され、記載された機能の各々を達成する代替のデザイン、ｖ）開示され、記載されたものを達成するために暗示的に表された機能を達成する代替のデザインおよび方法、ｖｉ）個別発明および独立発明として表された特徴、構成要素、および工程、ｖｉｉ）開示された種々のシステムまたは構成要素によって達成されるアプリケーション、ｖｉｉｉ）そのようなシステムまたは構成要素によって製造された結果物、ｉｘ）実質的に上述された記載および任意の添付の例示を参照した記載のような方法および装置、ｘ）開示された要素の各々の種々の組み合わせおよび順列、ｘｉ）上述全体で述べられたようにコンピュータ援助によってまたはコンピュータ上で実施されたプロセス、ｘｉｉ）上述全体で述べられたプログラム可能な装置、ｘｉｉｉ）上述全体で述べられたように機能する手段または要素を包含するコンピュータに指示するデータまたはプログラムをエンコードするコンピュータ読み取り可能なメモリ、ｘｉｖ）本明細書中で開示および記述したように構成されたコンピュータ、ｘｖ）本明細書中で開示および記述したような個々のまたは組み合わされたサブルーティンおよびプログラム、ｘｖｉ）開示および記載された関連方法、ｘｖｉｉ）類似の、等価な、そして暗示的な変形のこれらのそれぞれのシステムおよび方法、ｘｖｉｉｉ）開示および記述されたように示された機能の各々を達成するためのそれらの代替的なデザイン、ｘｉｘ）開示および記述されたことを暗示的に達成するように示された機能の各々を達成する代替的なデザインおよび方法、ｘｘ）個別発明および独立発明として示された特徴、構成要素および工程の各々、およびｘｘｉ）権利主張されたまたは開示された上述のおよび任意の要素の各々の組み合わせおよび順列。この点について、潜在的に数百のクレームを追加することを避けるために、実用的な理由で、出願人は、はじめの従属性にのみで提示されたクレームを有し得る。サポートは新規事項の法律下で要求される程度に存在することが理解されるべきである。新規事項の法律には、欧州特許条約第１２３（２）および米国特許法３５ＵＳＣ１３２または他の法律が含まれるがこれらに限定されない。新規事項の法律では、任意の他の独立クレームまたは概念の元での従属関係または要素と同様に、一つの独立クレームまたは概念の元での任意の種々の従属関係または要素を追加することが許される。
【００６１】
さらに、転換句「備える（ｃｏｍｐｒｉｓｉｎｇ）」の使用は、本明細書では、伝統的なクレーム解釈に準じて、「オープンエンド」クレームを維持するような使用である。したがって、文脈上の要求がなければ、用語「備える（ｃｏｍｐｒｉｓｅ）」あるいは「備える（ｃｏｍｐｒｉｓｅｓ）」または「備える（ｃｏｍｐｒｉｓｉｎｇ）」のような種々の用語は、任意の他の要素または工程あるいは要素または工程からなる群の排他ではなく、要素または工程あるいは要素または工程からなる群の包含を意味することを意図することが理解され得る。法的に許容される広大な範囲を出願人に与えられるようにこれらの用語が最も広い様式で解釈されるべきである。
【００６２】
特許請求の範囲は、本発明の明細書の一部として、参考のために組み入れられる詳細な説明に開示される。出願人が、任意のまたは全ての特許請求の範囲、あるいは任意の要素または構成要素をサポートするための追加の記載のような特許請求の範囲の組み入れられた内容の全部または一部を利用する権利を明確に留保する。さらに、出願人は、この出願、または継続出願、分割出願、あるいは一部継続出願によって要求される保護に関する事項を規定することによって、任意の国または条約の特許法、ルールまたは規則の利益を得ること、特許法、ルールまたは規則にしたがって得られる手数料の削減を得ること、特許法、ルールまたは規則に従うことを必要として、特許請求の範囲、任意の要素または構成要素の組み入れられた内容の任意の一部または全部を詳細な説明から特許請求の範囲へ、または特許請求の範囲から詳細な説明へ移動する権利を留保する。参考によって組み入れられた内容は任意の継続出願、分割出願、または一部継続出願または再発行特許、延長を含むこの出願が完全に継続している間、保たれる。
【００６３】
特許、公報、優先権書類、または特許に関するこの出願で言及される参考文献に関して、この出願で言及される法律、一般法令、規則またはルールに関する任意の行為は、参考として本明細書中に組み込まれる。さらに、本出願での活用は、そのような解釈が矛盾する以外は、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ、２ｎｄ  ｅｄｉｔｉｏｎに含まれるような用語、全ての定義、代替的な用語、任意の類義語を組み入れることが理解され、一般的な辞書の定義は、本明細書において、参考として援用される。最後に、出願人によって考慮されないことが明確である限り、参考として援用される情報またはステートメントがこの／これらの発明の特許性に矛盾しない限り、以下の参考文献が、本明細書において参考として援用される。
【００６４】
最後に、２０００年１１月７日頃出願された米国特許出願番号６０／２４６，３２８、６０／２４６，３２９、６０／２４６，３８１で権利主張された優先権の利益を主張し、優先権の利益を得ることができることに留意されたい。これらの出願の各々は、参考として本明細書で援用される。
【図面の簡単な説明】
【００６５】
【図１】図１は、本発明の１実施形態の模式図である。
【図２】図２は、１実施形態の携帯可能な性能のブロック図である。
【図３】図３は、１実施形態のトランスクリプショニストのブロック図である。
【図４】図４は、１実施形態の中央データレポジトリのブロック図である。
【図５】図５は、１実施形態のタグ付けされた構造化データの概念図である。
【図１】
2008123533.tif 000003
【図２】
2008123533.tif 000004
【図３】
2008123533.tif 000005
【図４】
2008123533.tif 000006
【図５】
2008123533.tif 000007